(57)【要約】      （修正有）【課題】患部への密着性が高く、適正温度を必要時間患部に伝えることができる温熱療法用ホットパックを提供する。【解決手段】保湿剤１を通気性のある防水性テント布地で作成した袋２に封入して、立体成型した外袋３に挿入したことを特徴とする。【選択図】図１
0003152692.tif 000002
【実用新案登録請求の範囲】
【請求項１】
防水性  厚布（重布）を使用した、３次元立体乾熱式ホットパック
【考案の詳細な説明】
【技術分野】
【０００１】  本考案は、温熱療法のうち、（ホットパック）と言われるものの中で、微分（粒）材を布材で包むことにより、通気性を良くするとともに、内袋は、保熱微分（粒）材が外部に漏れないう、防水厚布（重布）を使用した「乾熱式ホットパック」を提供する。
【背景技術】
【０００２】  従来の業務用「ホットパック」は、熱湯に浸し、過熱する湿式が主流であった。湿式の場合加熱するための熱湯の中に、雑菌が繁殖する、濁る等の難点があり、衛生上の問題がある。
現在、砂鉄等を使用したものがあるが、いずれも使い捨てである。近年、乾式のものが発売されているが、（実案第３１２５５６５）包材に「合成ゴム」または「ポリエチレン」等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、「蓄熱材」を使用した製品は少ない。
従来品は、平面型が主流であり、「ホットパック」として保温材を利用する場合、保温持続時間が問題となるが、適正温度を必要時間確保するには、保温材にもよるが、包材の形状、材質が大きく影響する。
【課題を解決するための手段】
【０００４】  本考案は、保温材（粉粒又は箇粒）１を、通気性のある防水厚布（重布）２で包むことにより、保温材の変質を防ぎ、熱伝導を促進し、清潔度を保持できる「ホットパック」を提供する。【０００５】  包材が布地であるため、縫製技術により立体形状に成型できる。保温材１を包材２で包むが成型包材３に挿入することで、膝、肩等の患部に適合するよう成型ができた。
【考案の効果】
【０００６】  立体成型包材３により、確実に温度を患部に伝えることができ、保温材のエネルギー量を相乗効果として得ることができた。【０００７】  本考案は外包材４に脱着可能なタオル材等を使用することで、肌触りがよく、洗濯が可能なため清潔さを保つことができる。
【考案を実施するための最良の形状】
【０００８】  本考案のホットパックは、比較的長時間、温熱が持続するため、再加熱することなく、２回（人）までは使用できる。
【０００９】  本考案のホットパックは、懐炉や湯たんぽの代用として使用できるが、長時間の使用でも火傷の心配がない。
【実施例】
【００１０】  本考案のホットパックは、病院、介護保険施設等で使用する場合、長時間温熱が持続するので，交換の頻度が少なくなり、現場職員の労働の軽減が期待できる。
【産業上の利用可能性】
【００１１】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１２】
【図１】ホットパックの断面図である。
【図２】立体縫製例  首用である。
【図３】立体縫製例  肩、膝用である。
【符号の説明】
【００１３】１  保温材（保冷材）
２  保温材を包む１層目の包材
３  立体縫製する２層目の包材
４  脱着可能なカバー
【図１】
0003152692.tif 000003
【図２】
0003152692.tif 000004
【図３】
0003152692.tif 000005
【手続補正書】
【提出日】平成19年12月11日(2007.12.11)
【手続補正１】
【補正対象書類名】実用新案登録請求の範囲
【補正対象項目名】全文
【補正方法】変更
【補正の内容】
【実用新案登録請求の範囲】
【請求項１】
防水性テント布地を使用した、立体乾熱式ホットパック
【手続補正２】
【補正対象書類名】明細書
【補正対象項目名】全文
【補正方法】変更
【補正の内容】
【考案の詳細な説明】
【技術分野】
【０００１】  本考案は、温熱療法のうち、ホットパックと言われるものの中で、微分材を布材で包むことにより、通気性を良くするとともに、内袋は、保熱微分材が外部に漏れないよう、防水性テント布地を使用した乾熱式ホットパックを提供する。
【背景技術】
【０００２】  従来の業務用ホットパックは、熱湯に浸し、過熱する湿式が主流であった。湿式の場合加熱するための熱湯の中に、雑菌が繁殖する、濁る等の難点があり、衛生上の問題がある。現在、砂鉄等を使用したものがあるが、いずれも使い捨てである。近年、乾式のものが発売されているが、（実案第３１２５５６５）包材に合成ゴムまたはポリエチレン等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、蓄熱材を使用した製品は少ない。従来品は、平面型が主流であり、ホットパックとして保温材を利用する場合、保温持続時間が問題となるが、適正温度を必要時間確保するには、保温材にもよるが、包材の形状、材質が大きく影響する。
【課題を解決するための手段】
【０００４】  本考案は、保温材（粉粒又は箇粒）１を、通気性のある防水性テント布地２で包むことにより、保温材の変質を防ぎ、熱伝導を促進し、清潔度を保持できるホットパックを提供する。【０００５】  包材が布地であるため、縫製技術により立体形状に成型できる。保温材１を包材２で包むが成型包材３に挿入することで、膝、肩等の患部に適合するよう成型ができた。
【考案の効果】
【０００６】  立体成型包材３により、確実に温度を患部に伝えることができ、保温材のエネルギー量を相乗効果として得ることができた。【０００７】  本考案は外包材４に脱着可能なタオル材等を使用することで、肌触りがよく、洗濯が可能なため清潔さを保つことができる。
【考案を実施するための最良の形状】
【０００８】  本考案のホットパックは、比較的長時間、温熱が持続するため、再加熱することなく、２回（人）までは使用できる。
【０００９】  本考案のホットパックは、懐炉や湯たんぼの代用として使用できる。
【実施例】
【００１０】  本考案のホットパックは、病院、介護保険施設等で使用する場合、長時間温熱が持続するので，交換の頻度が少なくなり、現場職員の労働の軽減が期待できる。
【産業上の利用可能性】
【００１１】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１２】
【図１】ホットパックの断面図である。
【図２】立体縫製例  首用である。
【図３】立体縫製例  肩、膝用である。
【符号の説明】
【００１３】  １  保温材（保冷材）
２  保温材を包む１層目の包材
３  立体縫製する２層目の包材
４  脱着可能なカバー
【手続補正書】
【提出日】平成20年3月25日(2008.3.25)
【手続補正１】
【補正対象書類名】実用新案登録請求の範囲
【補正対象項目名】全文
【補正方法】変更
【補正の内容】
【実用新案登録請求の範囲】
【請求項１】
防水性テント布地（東レ、キャンテリア等）を使用した、立体乾熱式ホットパック
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、温熱療法のうち、ホットパックと言われるものの中で、微分材を布材で包むことにより、通気性を良くするとともに、内袋は、保熱微分材が外部に漏れないよう、防水性テント布地を使用した乾熱式ホットパックを提供する。
【背景技術】
【０００２】  従来の業務用ホットパックは、熱湯に浸し、過熱する湿式が主流であった。湿式の場合加熱するための熱湯の中に、雑菌が繁殖する、濁る等の難点があり、衛生上の問題がある。現在、砂鉄等を使用したものがあるが、いずれも使い捨てである。近年、乾式のものが発売されているが、（実案第３１２５５６５）包材に合成ゴムまたはポリエチレン等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、蓄熱材を使用した製品は少ない。従来品は、平面型が主流であり、ホットパックとして保温材を利用する場合、保温持続時間が問題となるが、適正温度を必要時間確保するには、保温材にもよるが、包材の形状、材質が大きく影響する。
【課題を解決するための手段】
【０００４】  本考案は、保温材（粉粒又は箇粒）１を、通気性のある防水性テント布地２で包むことにより、保温材の変質を防ぎ、熱伝導を促進し、清潔度を保持できるホットパックを提供する。【０００５】  包材が布地であるため、縫製技術により立体形状に成型できる。保温材１を包材２で包むが成型包材３に挿入することで、膝、肩等の患部に適合するよう成型ができた。【０００６】  肩、膝用は、７、１１を縫合することで、ドーム状に成型。肩、膝（屈曲状態）に適合させることができた。首用は２１と２２、２５と２６を縫合し１４、１５、１６を帯状にする。１７の中央と１９の中央を基準に１７と１８、１９、２０を縫合、１９の凹曲線と１８、１９、２０で構成された凹曲線どうしを縫合することで立体型となり、複雑な形状の首全体に適合させることができた。
【考案の効果】
【０００７】  立体成型包材３により、確実に温度を患部に伝えることができ、保温材のエネルギー量を相乗効果として得ることができた。【０００８】  本考案は外包材４に脱着可能なタオル材等を使用することで、肌触りがよく、洗濯が可能なため清潔さを保つことができる。
【考案を実施するための最良の形状】
【０００９】  本考案のホットパックは、比較的長時間、温熱が持続するため、再加熱することなく、２回（人）までは使用できる。
【００１０】  本考案のホットパックは、懐炉や湯たんぽの代用として使用できる。
【実施例】
【００１１】  本考案のホットパックは、病院、介護保険施設等で使用する場合、長時間温熱が持続するので，交換の頻度が少なくなり、現場職員の労働の軽減が期待できる。
【産業上の利用可能性】
【００１２】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１３】
【図１】ホットパックの断面図である。
【図２】立体縫製例  肩、膝用（左右兼用）である。〔図２の１〕立体縫製例  肩、膝用の包材を縫製する前の展開図である。
【図３】立体縫製例  首用（左上方より見た状態）である。〔図３の１〕立体縫製例  首用の包材を縫製する前の展開図である。
【符号の説明】
【００１４】  １  保温材（保冷材）
２  保温材を包む１層目の包材（防水性テント布地）
３  立体縫製する２層目の包材（防水性テント布地）
４  脱着可能なカバー
５  肩（前後）膝（内外）本体
６  下縁
７  上縁
８  肩に使用した場合、肩幅が狭い人が首に当たらないようにしたスリット。
９  肩（前後）膝（内外）本体
１０  下縁
１１  上縁
１２  肩に使用した場合、肩幅が狭い人が首に当たらないようにしたスリット。
１３  襟部本体
１４  右側本体
１５  背部本体
１６  左側本体
１７  襟部下縁
１８  右側上縁
１９  背部上縁
２０  左側上縁
２１  右側内縁
２２  背部右縁
２３  背部左縁
２４  左側内縁
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003152692.tif 000006
【図２】
0003152692.tif 000007
【図３】
0003152692.tif 000008
0003152692.tif 000009
0003152692.tif 000010
【手続補正書】
【提出日】平成20年7月1日(2008.7.1)
【手続補正１】
【補正対象書類名】実用新案登録請求の範囲
【補正対象項目名】全文
【補正方法】変更
【補正の内容】
【実用新案登録請求の範囲】
【請求項１】
防水性テント布地（市販のテント布地）を使用した、立体型ホットパック
【手続補正２】
【補正対象書類名】明細書
【補正対象項目名】全文
【補正方法】変更
【補正の内容】
【考案の詳細な説明】
【技術分野】
【０００１】  本考案は、温熱療法のうち、ホットパックと言われるものの中で、微分材を防水性テント布地で包むことにより、通気性を良くするとともに、外袋も保熱微分材が外部に漏れないよう、防水性テント布地を使用したホットパックを提供する。
【背景技術】
【０００２】  従来の業務用ホットパックは、熱湯に浸し、過熱する湿式が主流であった。湿式の場合加熱するための熱湯の中に、雑菌が繁殖する、濁る等の難点があり、衛生上の問題がある。現在、砂鉄等を使用したものがあるが、いずれも使い捨てである。近年、乾式のものが発売されているが、（実案第３１２５５６５）包材に合成ゴムまたはポリエチレン等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、蓄熱材を使用した製品は少ない。従来品は、平面型が主流であり、ホットパックとして保温材を利用する場合、保温持続時間が問題となるが、適正温度を必要時間患部に伝えるには、保温材にもよるが、包材の形状、材質が大きく影響する。
【課題を解決するための手段】
【０００４】  本考案は、保温材（粉粒又は箇粒）１を、通気性のある防水性テント布地２で包むことにより、保温材の変質を防ぎ、熱伝導を促進し、清潔度を保持できるホットパックを提供する。【０００５】  包材が布地であるため、縫製技術により立体形状に成型できる。保温材１を包材２で包み包材３に挿入して立体縫製することで、膝、肩等の患部に適合するよう成型ができた。【０００６】  肩、膝用は、６、１０を縫合することで、ドーム状に成型。肩、膝（屈曲状態）に適合させることができた。首用は２０と２１、２２と２３を縫合し１３、１４、１５を帯状にする。１６の中央と１８の中央を基準に１６と１７、１８、１９を縫合、１８の凹曲線と１７、１８、１９で構成された凹曲線どうしを縫合することで立体型となり、複雑な形状の首全体に適合させることができた。
【考案の効果】
【０００７】  立体成型包材３により、確実に温度を患部に伝えることができ、保温材のエネルギー量を相乗効果として得ることができた。
【考案を実施するための最良の形状】
【０００８】  本考案のホットパックは、比較的長時間、温熱が持続するため、再加熱することなく、２回（人）までは使用できる。
【０００９】  本考案のホットパックは、懐炉や湯たんぽの代用として使用できる。
【実施例】
【００１０】  本考案のホットパックは、病院、介護保険施設等で使用する場合、長時間温熱が持続するので，交換の頻度が少なくなり、現場職員の労働の軽減が期待できる。
【産業上の利用可能性】
【００１１】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１２】
【図１】ホットパックの断面図である。
【図２】立体縫製例  肩、膝用（左右兼用）である。
【図３】立体縫製例  首用（左上方より見た状態）である。
【図２】の２〔図１〕の構造で製作した肩、膝用の包材を縫製する前の展開図である。
【図３】の２〔図１〕の構造で製作した首用の包材を縫製する前の展開図である。
【符号の説明】
【００１３】  １  保温材（保冷材）
２  保温材を包む１層目の包材（防水性テント布地）
３  立体縫製する２層目の包材（防水性テント布地）
４  肩（前後）膝（内外）本体
５  下縁
６  上縁
７  肩に使用した場合、肩幅が狭い人が首に当たらないようにしたスリット。
８  肩（前後）膝（内外）本体
９  下縁
１０  上縁
１１  肩に使用した場合、肩幅が狭い人が首に当たらないようにしたスリット。
１２  襟部本体
１３  右側本体
１４  背部本体
１５  左側本体
１６  襟部下縁
１７  右側上縁
１８  背部上縁
１９  左側上縁
２０  右側内縁
２１  背部右縁
２２  背部左縁
２３  左側内縁
【手続補正３】
【補正対象書類名】図面
【補正対象項目名】全図
【補正方法】変更
【補正の内容】
【図１】
0003152692.tif 000011
【図２】
0003152692.tif 000012
0003152692.tif 000013
【図３】
0003152692.tif 000014
0003152692.tif 000015
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
粉末の蓄熱材を、防水性テント布地（市販のテント布地）で作成した袋に封入して、立体成型した外袋に挿入した、立体型ホットパック。
【手続補正２】
【補正対象書類名】明細書
【補正対象項目名】全文
【補正方法】変更
【補正の内容】
【考案の詳細な説明】
【技術分野】
【０００１】  本考案は、温熱療法のうち、ホットパックと言われるものの中で、微分材を防水性テント布地で包むことにより、通気性を良くするとともに、外袋も保熱微分材が外部に漏れないよう、防水性テント布地を使用したホットパックを提供する。
【背景技術】
【０００２】  従来の業務用ホットパックは、熱湯に浸し、過熱する湿式が主流であった。湿式の場合加熱するための熱湯の中に、雑菌が繁殖する、濁る等の難点があり、衛生上の問題がある。現在、砂鉄等を使用したものがあるが、いずれも使い捨てである。近年、乾式のものが発売されているが、（実案第３１２５５６５）包材に合成ゴムまたはポリエチレン等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、蓄熱材を使用した製品は少ない。従来品は、平面型が主流であり、ホットパックとして保温材を利用する場合、保温持続時間が問題となるが、適正温度を必要時間患部に伝えるには、保温材にもよるが、包材の形状、材質が大きく影響する。
【課題を解決するための手段】
【０００４】  本考案は、保温材（粉粒又は箇粒）１を、通気性のある防水性テント布地２で包むことにより、保温材の変質を防ぎ、熱伝導を促進し、清潔度を保持できるホットパックを提供する。【０００５】  包材が布地であるため、縫製技術により立体形状に成型できる。保温材１を包材２で包み包材３に挿入して立体縫製することで、膝、肩等の患部に適合するよう成型ができた。【０００６】  肩、膝用は、６、１０を縫合することで、ドーム状に成型。肩、膝（屈曲状態）に適合させることができた。首用は２０と２１、２２と２３を縫合し１３、１４、１５を帯状にする。１６の中央と１８の中央を基準に１６と１７、１８、１９を縫合、１８の凹曲線と１７、１８、１９で構成された凹曲線どうしを縫合することで立体型となり、複雑な形状の首全体に適合させることができた。
【考案の効果】
【０００７】  立体成型包材３により、確実に温度を患部に伝えることができ、保温材のエネルギー量を相乗効果として得ることができた。
【考案を実施するための最良の形状】
【０００８】  本考案のホットパックは、比較的長時間、温熱が持続するため、再加熱することなく、２回（人）までは使用できる。
【０００９】  本考案のホットパックは、懐炉や湯たんぽの代用として使用できる。
【実施例】
【００１０】  本考案のホットパックは、病院、介護保険施設等で使用する場合、長時間温熱が持続するので，交換の頻度が少なくなり、現場職員の労働の軽減が期待できる。
【産業上の利用可能性】
【００１１】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１２】
【図１】ホットパックの断面図である。
【図２】立体縫製例  肩、膝用（左右兼用）である。
【図２】［図２］の２  図１  の構造で製作した肩、膝用の包材を縫製する前の展開図である。
【図３】立体縫製例  首用（左上方より見た状態）である。
【図３】［図３］の２  図１  の構造で製作した首用の包材を縫製する前の展開図である。
【符号の説明】
【００１３】１  保温材（保冷材）
２  保温材を包む１層目の包材（防水性テント布地）
３  立体縫製する２層目の包材（防水性テント布地）
４  肩（前後）膝（内外）本体
５  下縁
６  上縁
７  肩に使用した場合、肩幅が狭い人が首に当たらないようにしたスリット。
８  肩（前後）膝（内外）本体
９  下縁
１０  上縁
１１  肩に使用した場合、肩幅が狭い人が首に当たらないようにしたスリット。
１２  襟部本体
１３  右側本体
１４  背部本体
１５  左側本体
１６  襟部下縁
１７  右側上縁
１８  背部上縁
１９  左側上縁
２０  右側内縁
２１  背部右縁
２２  背部左縁
２３  左側内縁
【手続補正３】
【補正対象書類名】図面
【補正対象項目名】全図
【補正方法】変更
【補正の内容】
【図１】
0003152692.tif 000016
【図２】
0003152692.tif 000017
0003152692.tif 000018
【図３】
0003152692.tif 000019
0003152692.tif 000020
【手続補正書】
【提出日】平成21年2月24日(2009.2.24)
【手続補正１】
【補正対象書類名】実用新案登録請求の範囲
【補正の内容】
0003152692.tif 000021
0003152692.tif 000022
0003152692.tif 000023
0003152692.tif 000024
0003152692.tif 000025
0003152692.tif 000026
0003152692.tif 000027
0003152692.tif 000028
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
粉末の蓄熱材を、防水性テント布地で作成した袋に封入して、立体成型した外袋に挿入した、立体型ホットパック。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【技術分野】
【０００１】  本考案は、温熱療法のうち、ホットパックと言われるものの中で、微分材を防水性テント布地で包むことにより、通気性を良くするとともに、外袋も保熱微分材が外部に漏れないよう、防水性テント布地を使用したホットパックを提供する。
【背景技術】
【０００２】  従来の業務用ホットパックは、熱湯に浸し、過熱する湿式が主流であった。湿式の場合加熱するための熱湯の中に、雑菌が繁殖する、濁る等の難点があり、衛生上の問題がある。現在、砂鉄等を使用したものがあるが、いずれも使い捨てである。近年、乾式のものが発売されているが、（実案第３１２５５６５）包材に合成ゴムまたはポリエチレン等を使用しており、身体（患部）への密着性が悪いため、温度を十分伝えることができない。また加熱した際のゴム特有の臭いが不快である。
【考案の開示】
【考案が解決しようとする課題】
【０００３】  現在、国内各社で保温材が研究開発されているが、蓄熱材を使用した製品は少ない。従来品は、平面型が主流であり、ホットパックとして保温材を利用する場合、保温持続時間が問題となるが、適正温度を必要時間患部に伝えるには、保温材にもよるが、包材の形状、材質が大きく影響する。
【課題を解決するための手段】
【０００４】  本考案は、保温材（粉粒又は箇粒）１を、通気性のある防水性テント布地２で包むことにより、保温材の変質を防ぎ、熱伝導を促進し、清潔度を保持できるホットパックを提供する。【０００５】  包材が布地であるため、縫製技術により立体形状に成型できる。保温材１を包材２で包み包材３に挿入して立体縫製することで、膝、肩等の患部に適合するよう成型ができた。【０００６】  肩、膝用は、６、１０を縫合することで、ドーム状に成型。肩、膝（屈曲状態）に適合させることができた。首用は２０と２１、２２と２３を縫合し１３、１４、１５を帯状にする。１６の中央と１８の中央を基準に１６と１７、１８、１９を縫合、１８の凹曲線と１７、１８、１９で構成された凹曲線どうしを縫合することで立体型となり、複雑な形状の首全体に適合させることができた。
【考案の効果】
【０００７】  立体成型包材３により、確実に温度を患部に伝えることができ、保温材のエネルギー量を相乗効果として得ることができた。
【考案を実施するための最良の形状】
【０００８】  本考案のホットパックは、比較的長時間、温熱が持続するため、再加熱することなく、２回（人）までは使用できる。
【０００９】  本考案のホットパックは、懐炉や湯たんぽの代用として使用できる。
【実施例】
【００１０】  本考案のホットパックは、病院、介護保険施設等で使用する場合、長時間温熱が持続するので，交換の頻度が少なくなり、現場職員の労働の軽減が期待できる。
【産業上の利用可能性】
【００１１】  医療用のホットパックとして開発したが、冷却用（保冷材）を使用して体温上昇防止や、発熱時の冷却の場合、首、腋、股等比較的浅い層を通る動脈を効果的に冷却することができる。病院、介護保険施設、障害者施設での使用が中心となるが、遊園地等で見かけるぬいぐるみの中に入る人の夏場の体温上昇防止や、一般家庭用としても利用できるので、熱（冷却）を必要とする市場の拡大が期待できる。
【図面の簡単な説明】
【００１２】
【図１】ホットパックの断面図である。
【図２】立体縫製例  肩、膝用（左右兼用）である。
【図３】立体縫製例  首用（左上方より見た状態）である。
【図４】［図１］の構造で製作した肩、膝用の包材を縫製する前の展開図である。
【図５】［図１］の構造で製作した首用の包材を縫製する前の展開図である。
【符号の説明】
【００１３】  １  保温材（保冷材）
２  保温材を包む１層目の包材（防水性テント布地）
３  立体縫製する２層目の包材（防水性テント布地）
４  肩（前後）膝（内外）本体
５  下縁
６  上縁
７  肩に使用した場合、肩幅が狭い人が首に当たらないようにしたスリット。
８  肩（前後）膝（内外）本体
９  下縁
１０  上縁
１１  肩に使用した場合、肩幅が狭い人が首に当たらないようにしたスリット。
１２  襟部本体
１３  右側本体
１４  背部本体
１５  左側本体
１６  襟部下縁
１７  右側上縁
１８  背部上縁
１９  左側上縁
２０  右側内縁
２１  背部右縁
２２  背部左縁
２３  左側内縁
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003152692.tif 000029
【図２】
0003152692.tif 000030
【図３】
0003152692.tif 000031
【図４】
0003152692.tif 000032
【図５】
0003152692.tif 000033